(57)【要約】【課題】ディスプレイ装置のサイズに合わせて多くのバリエ−ションを準備しなくても、種々のサイズのディスプレイ装置を見た目よくすっきりと設置することができる家具を提供する。【解決手段】上面21を有する段部２と、この段部２の後方に立ち上がる物品収納部３と、を備えており、前記段部２の上面21に脚付きのディスプレイ装置を載置した際にディスプレイ装置の脚の後部を収容する脚収容部30が、前記物品収納部３に設けられている、家具１とした。ここで、脚収容部30は、左右の幅が７０〜１００ｃｍで前方に向けて開口した脚収容主開口301を有することが好ましい。【選択図】図１
2017055957.tif 000002
【特許請求の範囲】
【請求項１】
上面を有する段部と、
この段部の後方に立ち上がる物品収納部と、を備えており、
前記段部の上面に脚付きのディスプレイ装置を載置した際にディスプレイ装置の脚の後部を収容する脚収容部が、前記物品収納部に設けられている、
家具。
【請求項２】
脚収容部は、
左右の幅が７０〜１００ｃｍで前方に向けて開口した脚収容主開口を有する、
請求項１記載の家具。
【請求項３】
脚収容部は、
脚収容主開口の左右に位置し前方に向けて開口した、左右の脚収容補助開口を有する、
請求項２記載の家具。
【請求項４】
脚収容主開口が上方に向かって延びており、
脚収容主開口の内部には、ディスプレイ装置に取り付けられる壁掛け具を固定するための固定板が設けてある、
請求項２又は３記載の家具。
【請求項５】
物品収納部は多数の物品収納空間を有しており、少なくとも脚収容主開口に隣接する物品収納空間は開き扉を備えていない、
請求項４記載の家具。
【請求項６】
脚収容主開口と脚収容補助開口は、左右幅寸法に対して上下高さ寸法が小さい左右横長形状である、
請求項３記載の家具。
【請求項７】
少なくとも、脚収容主開口と脚収容補助開口それぞれの上側に隣接する物品収納空間は開き扉を備えていない、
請求項６記載の家具。
【発明の詳細な説明】
【技術分野】
【０００１】
本発明は家具に関する。
【背景技術】
【０００２】
家具には、限られた室内空間を有効に活用して多くの物品を収納するといったニ−ズに対応することが求められている。
【０００３】
このようなニ−ズから、近年では、壁面収納が広く採択されるようになってきた。壁面収納は多くの物品をすっきりと収納することができる。なかでも、大掛かりな工事等が不要で室内等に気軽に設置することができる後付けタイプの壁面家具は特に人気が高い。壁面家具は通常、室内の壁面に沿って設置される。
【０００４】
一方、プラズマテレビや液晶テレビ等の薄型大画面テレビが普及し、これらディスプレイ装置を設置することができる壁面家具も増えてきた。具体的には、物品を収納する物品収納部に加えて、ディスプレイ装置を内側に設置するための前方に大きく開口した空間（以降単に、設置空間と称する）を内部に設けた壁面家具の需要が高くなっている。このような壁面家具は、例えば、本件出願人が特許出願した下記特許文献１および下記特許文献２に開示されている。
【０００５】
しかし、一口にディスプレイ装置といっても様々な画面サイズのものが販売されているため、設置空間をどの程度の大きさにするのが汎用的かという悩ましい問題があった。すなわち、比較的大きなサイズのディスプレイ装置にまで対応した設置空間の大きさとすると、比較的小型のものを設置した場合に設置空間の左右が大きく空いてしまい、これらのスペ−スが無駄になっていた。またこのように設置空間の左右が大きく空いてしまった状態は見栄えが悪く、インテリアデザインの観点からも問題があった。
【０００６】
そこで、様々なサイズのディスプレイ装置に対応すべく、設置空間の大きさにバリエ−ションを持たせた壁面家具を複数個ラインナップすることが行われていた。具体的には、設置空間の幅として、例えば５０インチ程度までのディスプレイ装置用として１１６０ｍｍ、６０インチ程度までのディスプレイ装置用として１３６０ｍｍ、７０インチ程度までのディスプレイ装置用として１５６０ｍｍなどといったラインアップを揃えて対応していた。なお、最近ではディスプレイ装置の大画面化が進み、家電量販店などでは７０インチや８０インチの大画面テレビも展示販売されているが、上記ラインナップでは７０インチを越えるディスプレイ装置には対応できなかった。
【０００７】
しかし、このようにディスプレイ装置のサイズに合わせて複数のラインナップを揃えることはコスト高につながっていた。また、設置空間の大きさが決まっているため、設置されているディスプレイ装置を買い換えてより大画面のディスプレイ装置に置き換えることが不可能な場合があるなど、置き換えの自由度が低く融通がきかないことが多かった。
【先行技術文献】
【特許文献】
【０００８】
【特許文献１】特開２００８−０２３２２９号公報
【特許文献２】特開２０１１−１４２９６５号公報
【発明の概要】
【発明が解決しようとする課題】
【０００９】
本発明は、上述の事柄に留意してなされたものであって、ディスプレイ装置のサイズに合わせて多くのバリエ−ションを準備しなくても、種々のサイズのディスプレイ装置を見た目よくすっきりと設置することができる家具を提供するものである。
【課題を解決するための手段】
【００１０】
上記課題を解決するために、本発明の家具は、上面を有する段部と、この段部の後方に立ち上がる物品収納部と、を備えており、前記段部の上面に脚付きのディスプレイ装置を載置した際にディスプレイ装置の脚の後部を収容する脚収容部が、前記物品収納部に設けられている構成とした。
【００１１】
この家具は、段部の上面にディスプレイ装置を載置することで、ディスプレイ装置のサイズに合わせて多くのバリエ−ションを準備しなくても、種々のサイズのディスプレイ装置を見た目よくすっきりと設置することができる。ディスプレイ装置を設置空間に設置する従来の家具では当該空間の左右が大きく空くことがあったが、上記家具にはこのようなことがない。
また、段部の上面、即ち物品収納部の前方にディスプレイ装置を設置することができるため、開放的な印象を与えることができる。
さらに、段部の上面にディスプレイ装置を載置する際、脚の後部を脚収容部に収容することによってディスプレイ装置を物品収納部に接近させることができ、より一層、ディスプレイ装置を見た目よくすっきりと設置することができる。
加えて、ディスプレイ装置を載置するために段部の上面の奥行きにある程度の寸法が必要となるが、脚の後部を脚収容部に収容することができるため、段部の上面の奥行き寸法を小さくすることができ、これによって家具自体も省スペ−ス化することができる。
【００１２】
ここで、脚収容部は、左右の幅が７０〜１００ｃｍで前方に向けて開口した脚収容主開口を有する構成とすることができる。
【００１３】
ディスプレイ装置は、図13(a)に示す様な、装置中央部を幅広の脚で支えるタイプ（以降、中央脚タイプと称する）が比較的多く、通常、脚の左右の幅はディスプレイ装置自体の左右の幅よりも小さくなり１００ｃｍ以下であることが多い。上記家具は、脚収容主開口の左右の幅が７０〜１００ｃｍであるため、多くのディスプレイ装置の脚の後部を収容することが可能である。
【００１４】
ここで、脚収容部は、脚収容主開口の左右に位置し前方に向けて開口した、左右の脚収容補助開口を有する構成とすることができる。
【００１５】
超大画面のディスプレイ装置などは、図13(b)に示す様な、装置の左右両端にそれぞれ脚を有するもの（以降、左右脚タイプと称する場合がある）もあり、左右の脚が脚収容主開口に収まらない場合も考えられる。このような場合には、例えば、左右の脚をそれぞれ左右の脚収容補助開口に入り込ませて収容することが可能である。
【００１６】
また、脚収容主開口が上方に向かって延びており、脚収容主開口の内部には、ディスプレイ装置に取り付けられる壁掛け具を固定するための固定板が設けてある構成とすることもできる。
【００１７】
この家具は、段部の上面に載置したディスプレイ装置を壁掛け具で固定板に固定することで耐震性を高めることができる。なお、ディスプレイ装置の脚の左右の幅が大きいなどの理由で脚の後部を脚収容部に収容できない場合であっても、脚を取り外すなどすれば、壁掛け具を用いてディスプレイ装置を固定板に固定して、ディスプレイ装置を家具に設置することができる。
【００１８】
このとき、物品収納部は多数の物品収納空間を有しており、少なくとも脚収容主開口に隣接する物品収納空間は開き扉を備えていない構成とすることもできる。
【００１９】
この家具は、脚収容主開口に隣接する物品収納空間に物品を収納しやすい。段部の上面にディスプレイ装置を載置して脚の後部を脚収容主開口等に収容すると、ディスプレイ装置と物品収納部が接近した状態となるため、物品収納空間の一部（特に、脚収容主開口に隣接するもの）をディスプレイ装置が覆ったような状態になることが考えられる。このような場合、物品収納空間が開き扉（前後に開閉する）を備えていると物品の出し入れが著しく困難になるが、本家具はこのような現象が生じない。ここで、開き扉を備えていない物品収納空間には、扉そのものを備えていない場合や、引き戸を備えている場合が含まれる。
【００２０】
また、脚収容主開口は、左右幅寸法に対して上下高さ寸法が小さい左右横長形状の構成とすることもできる。
さらに、脚収容主開口と脚収容補助開口は、左右幅寸法に対して上下高さ寸法が小さい左右横長形状の構成とすることもできる。このとき、少なくとも、脚収容主開口と脚収容補助開口それぞれの上側に隣接する物品収納空間は開き扉を備えていない構成とすることが好ましい。
【発明の効果】
【００２１】
本発明により、ディスプレイ装置のサイズに合わせて多くのバリエ−ションを準備しなくても、種々のサイズのディスプレイ装置を見た目よくすっきりと設置することができる家具を提供することができる。
【図面の簡単な説明】
【００２２】
【図１】家具を例示する斜視図である。
【図２】図１の家具の分解斜視図である。
【図３】図１の家具の段部にディスプレイ装置を載置した状態を示す斜視図である。
【図４】図３におけるＡ−Ａ線に沿う断面図である。
【図５】壁掛け具を用いた例を示す図４相当の断面図である。
【図６】図１の家具の段部に左右脚タイプの超大画面ディスプレイ装置を載置した状態を示す斜視図である。
【図７】図６におけるＢ−Ｂ線に沿う断面図である。
【図８】図１の家具に、壁掛け具を用いて、脚を外した超大画面ディスプレイ装置を設置した状態を示す斜視図である。
【図９】図８におけるＣ−Ｃ線に沿う断面図である。
【図１０】家具の別例を示す斜視図である。
【図１１】図10の家具に、左右脚タイプの超大画面のディスプレイ装置を設置した状態を示す斜視図である。
【図１２】図11におけるＤ−Ｄ線に沿う断面図である。
【図１３】ディスプレイ装置を例示する斜視図である。
【発明を実施するための形態】
【００２３】
以下、図を用いて家具を例示説明する。家具１は、段部２と物品収納部３を備える。そして、段部の上方で物品収納部の前方にディスプレイ装置を設置することができるように構成されている。以下、各構成要素について例示説明するが、本発明およびその構成要素は、以下の説明に限定されるものではない。
【００２４】
１．段部
家具１の構成要素である段部２は上面21を有する。そして、家具１の正面側に段部２が設けられている。段部２の上面21には脚付きのディスプレイ装置が載置可能である。
【００２５】
本実施形態において段部２は、図１に例示するように、家具１の左右幅方向全体に亘って設けられている。
段部２の上面21の奥行き寸法は、段部２の前端から物品収納部３の下部前端までの寸法であり、あまり長いと家具１自体の厚みが増して省スペ−ス化しにくくなる。そのため、段部２の上面21の奥行き寸法は、５０ｃｍ以下であることが好ましく、３０ｃｍ以下であることがより好ましい。
段部２の上面21の奥行き寸法は、短すぎるとディスプレイ装置を載置しにくくなるため、１０ｃｍ以上であることが好ましく、１５ｃｍ以上であることがより好ましい。
【００２６】
２．物品収納部
家具１の構成要素である物品収納部３は、段部２の後方に立ち上がっている。そして物品収納部３には、段部２の上面21に脚付きのディスプレイ装置を載置した際にディスプレイ装置の脚の後部を収容するための脚収容部30が設けられている。脚収容部30は、前方に開口した脚収容開口を少なくとも一つ有しており、本実施形態では、脚収容主開口301と、これに加えて、脚収容主開口301の左右に位置する脚収容補助開口302,303を備えている。
【００２７】
［脚収容主開口］
ここで、脚収容主開口301は、前方が開口しており、ここからディスプレイ装置の脚の後部を挿入することで、脚の後部を脚収容主開口301に収容する。ここで、脚収容主開口301の底面は段部２の上面21と連続し、かつ、上面21を含む面と同一面にあるため、ディスプレイ装置の脚の後部を脚収容主開口301に収容した際、ディスプレイ装置が安定しやすい。
【００２８】
図１に例示するように、本実施形態において、脚収容主開口301は物品収納部３の左右方向中央部に設けられている。また、本実施形態において、脚収容主開口301は、物品収納部３の下端部から上方に向かって延びており、正面視で概ね正方形状か、やや縦長矩形状となっている。脚収容主開口301の左右の幅は７０〜１００ｃｍが好ましく、７５〜１００ｃｍがより好ましい。
【００２９】
一般に大画面テレビは４２型以上のものを指すことが多く、４２型ディスプレイ装置（１６：９）の左右の幅は１００ｃｍ程度である場合が多い。よって、脚収容主開口301の左右の幅が１００ｃｍ以下の場合、その前方に４２型以上のディスプレイ装置を載置すると、上方に向かって延びる脚収容主開口301の左右部分は、正面からほぼ隠れることとなる。
【００３０】
また、図１に例示するように、本実施形態において、上方に向かって延びている脚収容主開口301の内部（奥側）には、ディスプレイ装置の背面に取り付けられる壁掛け具(９)を固定するための固定板31が設けてある。本実施形態では、固定板31の左右の幅は脚収容主開口301の左右の幅と同じであり、脚収容主開口301を区画する左右の側板の内側に固定板31の左右両端がそれぞれ取り付けられている。固定板31には、壁掛け具(９)を固定するための固定穴が複数個設けてある。
【００３１】
［脚収容補助開口］
一方、脚収容補助開口302,303は、前方が開口しており、脚収容主開口301の左右にそれぞれ隣接して位置する。脚収容補助開口302,303の底面は段部２の上面21と連続し、かつ、上面21を含む面と同一面にある。
【００３２】
左右脚タイプの超大画面のディスプレイ装置など、左右の脚が脚収容主開口301に収まらない場合であっても、左右の脚を左右の脚収容補助開口302,303に入り込ませて収容することができる（詳細は後述）。
【００３３】
本実施形態では、物品収納部３は多数の物品収納空間32,33を有している。そして、脚収容主開口301に隣接する物品収納空間32は扉を備えていない。なお、本実施形態では、脚収容主開口301に隣接しない物品収納空間33についても扉を備えていない。
【００３４】
３．家具
本実施形態では、図２に示すように、複数のボックスを組み合わせて家具１を構成している。詳細には、脚収容主開口301を備えたセンタ−ボックス1A、脚収容補助開口302,303を備えた左右のサイドボックス1B,1C、およびこれらの上面に載置されるトップボックス1Dを組み合わせて家具１が構成されている。本実施形態では、センタ−ボックス1Aについて多くのバリエ−ションを準備することなく、様々なサイズのディスプレイ装置に対応することができる。
【００３５】
４．ディスプレイ装置の設置方法
以下、このような段部２と物品収納部３を備えた家具１にディスプレイ装置を設置する手順などを、図３〜図12を用いて例示説明する。ディスプレイ装置は、段部の上方で物品収納部の前方に設置される。
【００３６】
図３及び図４に、脚61付きのディスプレイ装置６を家具１に設置した状態を例示する。ディスプレイ装置６は、図13(a)に示す様な中央脚タイプであり、脚61の後部が、ある程度の左右幅を持ってディスプレイ装置６の後方に突出している。
そして、家具１の段部２の上面21にディスプレイ装置６を載置し、脚61の後部が脚収容部30に収容されるようにディスプレイ装置６を物品収納部３に近接させて設置する。より具体的には、ディスプレイ装置６の脚61の後部が、本例の場合、脚収容主開口301に入り込むようにディスプレイ装置６を物品収納部３に近接させて設置するのである。図４には、ディスプレイ装置６の脚61の後部が脚収容部30（脚収容主開口301）に収容されている状態が例示されている。
【００３７】
図５には、耐震性をアップさせるため壁掛け具９を用いた例を示す。脚収容主開口301の内部の固定板31とディスプレイ装置８が壁掛け具９で連結されており、これによって耐震性が向上する。ここで、壁掛け具９には市販品を用いることができ、例えば、金属製の壁掛け金具を用いることができる。
【００３８】
次に、図６及び図７に、図13(b)に示す様な左右脚タイプの超大画面のディスプレイ装置７を家具１に設置した状態を例示する。前述した様に、非常に大型のディスプレイ装置などには左右脚タイプのものがある。このような左右脚タイプの超大画面ディスプレイ装置７の場合、左右の脚71が脚収容主開口301に収まりきらないことが考えられる。そこで、このような場合であっても、例えば、左右の脚71をそれぞれ脚収容補助開口302,303に入り込ませて収容することができる。
【００３９】
次に、図８及び図９に、図13(c)に示す様な中央脚タイプの超大画面のディスプレイ装置８を家具１に設置した状態を例示する。超大画面のディスプレイ装置でこのタイプの脚を有するものは脚の左右寸法が大きくなるため、脚が脚収容主開口301に収まらないことも考えられる。このような場合には、壁掛け具９を用いて大型のディスプレイ装置８を家具１に設置することができる。このとき、図９に例示するように、超大画面のディスプレイ装置８の脚(81)は、通常、取り外すことになると考えられる。
【００４０】
最後に、図10〜12を用いて家具の別例を説明する。図10に示す様に、この家具１’も、段部２と物品収納部３を備え、物品収納部３には脚収容部30が設けてある。しかし、脚収容主開口301と脚収容補助開口304,305が、左右幅寸法に対して上下高さ寸法が小さい左右横長形状である点で、図１などに開示された家具とは異なる。本実施形態では、脚収容主開口301と脚収容補助開口304,305は概ね同じ形状となっている。脚収容主開口と脚収容補助開口の上下高さ寸法は、小さすぎるとディスプレイ装置の脚が収容しにくくなるため、５ｃｍ以上であることが好ましく、より好ましくは１０ｃｍ以上、最も好ましくは１５ｃｍ以上である。一方、脚収容主開口と脚収容補助開口の上下高さ寸法は、大きすぎると物品収納空間が小さくなるため、３０ｃｍ以下であることが好ましく、より好ましくは２５ｃｍ以下、最も好ましくは２０ｃｍ以下である。
【００４１】
また、本実施形態では、少なくとも、脚収容主開口301と脚収容補助開口304,305それぞれの上側に隣接する物品収納空間34は開き扉を備えていない。なお、本実施形態では、脚収容主開口301と脚収容補助開口304,305それぞれの上側に隣接しない物品収納空間35についても扉を備えていない。
【００４２】
この家具１’に、図13(b)に示す様な左右脚タイプの超大画面ディスプレイ装置７を設置した状態を例示する。前述した図６及び図７の場合と同様、例えば、左右の脚をそれぞれ脚収容補助開口304,305に入り込ませて収容することができる。なお、図13(a)に例示するような中央脚タイプのディスプレイ装置を設置する場合には、図３に示す例と同様、ディスプレイ装置の脚の後部が脚収容主開口301に入り込むように、ディスプレイ装置を物品収納部３に近接させて設置することができる。
【００４３】
以上、特定の実施形態を参照して本発明を例示説明したが、本発明は上記実施形態に限定されるものではなく、当該技術分野における熟練者等により、本出願の願書に添付された特許請求の範囲から逸脱することなく、種々の変更及び修正が可能である。
【００４４】
例えば、上記実施形態では、脚収容主開口に隣接する物品収納空間は扉を備えていない構成としたが、これに限定されず、引き戸を備えた構成としてもよい。
【符号の説明】
【００４５】
１,１’  家具（壁面家具）
1A, 1A’  センタ−ボックス
1B, 1B’  左サイドボックス
1C, 1C’  右サイドボックス
1D  トップボックス
２  段部
21  上面
３  物品収納部
30  脚収容部
301  脚収容主開口
302,303,304,305 脚収容補助開口
31  固定板
32  物品収納空間（脚収容主開口に隣接する物品収納空間）
33  物品収納空間（脚収容主開口に隣接しない物品収納空間）
34  物品収納空間（脚収容主開口と脚収容補助開口それぞれの上側に隣接する物品収納空間）
35  物品収納空間（脚収容主開口と脚収容補助開口それぞれの上側に隣接しない物品収納空間）
６  ディスプレイ装置（大画面、中央脚タイプ）
61  脚
７  ディスプレイ装置（超大画面、左右脚タイプ）
71  脚
８  ディスプレイ装置（超大画面、中央脚タイプ）
81  脚
９  壁掛け具
【図１】
2017055957.tif 000003
【図２】
2017055957.tif 000004
【図３】
2017055957.tif 000005
【図４】
2017055957.tif 000006
【図５】
2017055957.tif 000007
【図６】
2017055957.tif 000008
【図７】
2017055957.tif 000009
【図８】
2017055957.tif 000010
【図９】
2017055957.tif 000011
【図１０】
2017055957.tif 000012
【図１１】
2017055957.tif 000013
【図１２】
2017055957.tif 000014
【図１３】
2017055957.tif 000015